(57)【要約】  靴を製造するため、本底（２）を先ず中空型（１）に入れる。本底（２）が固定手段（５）を有し、それが上向きに突出したナップ（３）によって形成され、靴の表甲（４）を中空型（１）の内部に固定する。中空型（１）が上型（９）によって頂部を多い、それが上底（８）で止まって、その縁部と中空型の横壁（７）との間で自由空間（１０）を開けたままにする。楔形部品（１２）が頂部から前記自由空間の中に挿入される。この部品（１２）が狭い間隙（１３）を開けたままにして、それを介してコルクとラテックスの混合物が拡がって出ることができる。
2005511217.tif 000002
【特許請求の範囲】
【請求項１】
靴底を製造するため利用される中空型において、表甲の領域が突出し、そこに固定手段によって中空型の側壁に対し保持され、表甲の領域が、靴底を形成するコルク片または同じ物を含んだ材料を詰めて、上型を嵌め込んだ後に靴底と結合する、靴の製造方法において、
上型を使用して、その縁部と中空型の側壁との間に自由空間を保つこと、上型を嵌め込んだ後、中空型の内部に向かって楔形に先細りした楔形部品を、その自由空間に入れて、それが表甲を中空型の側壁に対し、また上型の縁部に向かって押して、狭い間隙を開けることを特徴とする方法。
【請求項２】
表甲の領域を嵌め込み、靴底を形成する材料を詰めた後、その材料に上底を載せ、そして上型を嵌め込み、そこで上底が、縁部を上型の外側を向いて裏返して、上型に対し密着し、楔形部品を嵌め込んで、表甲を中空型の側壁の上縁部に対して押し、楔形部品と上底の裏返った縁部との間に、狭い間隙が形成され、中空型から靴を取り出した後、上底の裏返った縁部を切り取ることを特徴とする請求項１に記載の方法。
【請求項３】
靴底を形成する材料を中空型に入れる前に、本底を挿入し、中空型に突出した表甲の領域の下端部を、本底上の固定手段によって中空型の側壁に保持することを特徴とする請求項１または２に記載の方法。
【請求項４】
靴底用の材料として、コルクとラテックスの混合物が使用されることを特徴とする請求項１〜３のいずれか一項に記載の方法。
【請求項５】
靴底（６）を覆う本底（２）と靴底（６）に結合した表甲（４）を具備した靴において、表甲（４）が本底（２）まで達し、本底（２）が表甲（４）の内側に表甲（４）を保持するために上向きに突出した固定手段（５）を備えること、その固定手段（５）は靴が完成すると、靴底（６）の材料によって覆われることを特徴とする靴。
【請求項６】
固定手段（５）が、上向きに突出し、本底（２）縁部に対して平行に延びる複数のナップ（３）によって形成されることを特徴とする請求項５に記載の靴。
【発明の詳細な説明】
【技術分野】
【０００１】
本発明は、靴を製造する方法に関するもので、その際に靴底を製作するため利用する中空型で表甲の領域が突出し、それは固定手段によって中空型の側壁に対して保持され、靴底を構成するコルク片又はそれを含んだ材料を詰めて、上型を嵌めた後、靴の表甲の領域が、靴底と結合する。更に本発明はその方法で製造できる靴に関連する。
【背景技術】
【０００２】
従来技術による方法は、ドイツ国特許出願公開明細書 DE 195 11 942 A1 に記載されている。そのような方法を使用する中空型が、表甲の横部分に対する固定部材として、ポケットと固定フレームを有し、それらは靴底材料が型に入って、横部分と結合するまで、横部分を固定する。中空型の形態は、ポケットと固定フレームによるものはかなり費用が掛かり、従って高価である。更にポケットと固定フレームの成形によって、表甲の型が動かないようになって、中空型が別に形成した靴に利用できないという欠点が生じる。本方法により製作される靴の靴底用の材料が、充分な磨耗抵抗を有していないと、靴底の下側に底革を貼る必要がある。そのような貼り付けの過程はまた、溶剤を遊離し、接着層が靴底の通気性をかなり減らすので、労働力を費やし、しばしば望ましくないものである。
【０００３】
コルク片を含んだ材料、特にコルクとラテックッスの混合部物を閉じた中空型で製造する時、中空型を熱することによって生じる材料の圧縮が、懸濁液の分解が一部で起こるという問題が生じる。それを防止するため、中空型から材料を調節して拡がるようにする必要があるが、その際に靴の上底または上部材料を汚す危険性がある。更に材料を拡がる必要があると、それら拡がった領域をできるだけ清潔にするように遠ざけなければならず、それは追加の作業工程で行っている。前記のドイツ国特許出願公開明細書 DE 195 11 942 A1 は、コルクとラテックスの混合物を分解し、閉じた型でそれらの材料を圧縮するのを避ける問題に取り組んでいない。
【発明の開示】
【発明が解決しようとする課題】
【０００４】
本発明は、従来技術による方法の発展を基にした問題を含んでおり、それは特別簡単に形成された中空型で実行することができ、靴底用の材料の分解は、中空型における圧縮を避けることによって、靴部分を汚す危険なく、回避できる。更にその方法によって製造可能な靴を作り出す。
【課題を解決するための手段】
【０００５】
第一の問題は、本発明によると上部型を使用して、その縁部と中空型の側壁との間に自由空間を保つこと、その自由空間に上部型を嵌めた後、中空型の内部へ楔形に先細りした楔形部品を入れて、それが表甲を中空型の側壁に対して内側に押し、また上部型の縁部に向かって狭い間隙を開くことによって解決される。
【０００６】
楔形部品によって同様なことが、別々に達成される。一方で表甲領域が側壁に対して確実に押され、表甲の外側と中空型の側との間で靴底材料が盛り上がる危険性が生じない。他方で楔形部品によって上部型と楔形部品との間の間隙を保ち、それを介して材料を調節して広げることができ、靴を汚すことがない。更に靴が完成すると、拡がった材料を簡単に取り除くことができる。
【０００７】
特別な利点は、本発明に関する方法による別の形態について、表甲の領域を嵌め込んで、靴底を形成する材料を詰めた後、その材料上に上底を載せ、そして上型を嵌め込み、その際に上型の外側に向かって裏返った縁部を具備した上底が、上型に対して密着し、楔形部品を嵌め込むと、中空型の側壁の上縁部に対して表甲が押して、楔形部品と上底の裏返った縁部との間に狭い間隙が形成され、靴を中空型から取り出した後、上底の裏返った縁部を切り取る。
【０００８】
そのやり方で、広がる靴底材料による表甲と上底の汚れが、完全に締め出される。更に拡がった材料を、上底の縁部と共に簡単な方法できれいに切り取ることができる。
【０００９】
中空型で突出する甲靴領域が、中空型の側壁の上辺に楔形部品によって固定するのに加えて、側壁に対する下端部で保持されており、本発明による方法の別の形式によると、中空型に靴底を形成する材料を入れ込む前に、本底が挿入され、中空型において突出した表甲の領域の下端部が、本靴底上の固定手段によって、中空型の側壁に保持される。
【００１０】
特別な利点は、靴底用の材料として、コルクとラテックスの混合物を使用していることである。
【００１１】
第二の問題は、すなわち靴底を覆う本底と、靴底に結合した表甲による靴の製造は、表甲を本底まで延ばし、本底が表甲の内側で上向きに突出した固定手段を表甲の保持のために備え、その固定手段が靴の完成時に靴底の材料により覆われることによって、解決される。そのような靴の場合、製造を容易にするために必要な固定手段が見えなくなり、着用者の快適性を邪魔しない。更に固定手段は非常に簡単に形成でき、靴の製造の際に表甲を簡単に嵌め込むことが可能である。
【００１２】
固定手段が上向きに突出して、本底の縁部に対して平行に延びるナップを形成すると、固定手段は特に簡単に形成される。そのようなナップは一方で表甲に固定されるが、それは問題なく、靴底材料を表甲の材料まで到達させることが可能である。
【発明を実施するための最良の形態】
【００１３】
本発明は別の実施形態も提案する。その根本原理を更に明らかにするため、以下で図面を参照する。
【実施例】
【００１４】
図１は中空型１を示しており、上から例えばゴムから成る本底２を入れている。それらの本底２は外見上、外縁部に向かって間隔が減少する単一領域に、上向きに突出するナップ３を有している。それらのナップ３は、一つの表甲４に対する固定手段５を形成している。本底２と表甲４が、例えばコルクとラテックスからなる靴底６によって、互いに結合されている。
【００１５】
靴を製造するため、次に本底２を中空型１に入れる。そして表甲４をそのようにして中空方に嵌め込み、その際に例えばサンダルの革細工（Beriemung）が問題になるが、それが中空型の側壁７の内側に沿って延び、固定手段５によってその側壁７に保持されている。最後に靴底６を成形するため、コルクとラテックスの混合物を中空型１に詰めて、その靴底の材料の上に上底８を間に置いて、上型９を載せる。上型９は、それと中空型１の側壁７との間に自由空間１０を形成するように調節され、自由空間は一方の側で表甲４によって、他方の側で上底８の上向きに高く立つ縁部１１によって画定されている。最後に下向きに楔形で先細りした楔形部品１２を、その自由空間１０に嵌め入れる。その楔形部品１２は、表甲４を外向きに側壁７に対して押して、それと上型９に対して隣接する上底８の縁部１１との間に、狭い間隙１３を形成するとように調節される。その間隙１３を介して、コルクとラテックスの混合物が上向きに拡がることができ、その際に表甲４または上底８を汚すことはない。
【００１６】
靴の成形後、縁部１１を後方へ拡がったコルクとラテックスの混合物と共に切り取り、きれいな靴が成立する。
【００１７】
図２冠する上から見た図は、本底２の一部の領域をナップ３によって形成された固定手段５と共に示している。明らかにその実施例は、本底の縁部に平行な六個のナップ３を一例として示している。それらのナップ３と本底２の縁部との間に、表甲４を嵌め込んでいる。ナップ３の相互距離は、ナップ３の領域においても靴底６の材料が表甲４に達するほど大きく、それによってナップ３の上の領域に加えて靴底６に保持する。
【００１８】
符号の説明
１    中空型
２    本底
３    ナップ
４    表甲
５    固定手段
６    靴底
７    側壁
８    上底
９    上型
１０  自由空間
１１  縁部
１２  楔形部品
１３  間隙
【図面の簡単な説明】
【００１９】
【図１】靴を製作するために嵌め込んだ部分と中空型の一部領域を介した断面図。
【図２】靴の本底の一部領域の上から見た図。
【図１】
2005511217.tif 000003
【図２】
2005511217.tif 000004
【国際調査報告】
2005511217.tif 000005
2005511217.tif 000006
2005511217.tif 000007
2005511217.tif 000008
2005511217.tif 000009
2005511217.tif 000010